(57)【特許請求の範囲】
【請求項１】
光源から出射された光が入射する入射領域と、
この入射領域に光軸方向において対向し、前記入射領域に入射した光を被照射面側へ向けて出射させる出射領域と
を有する光束制御部材であって、
前記入射領域は、前記光軸方向から見た形状が光軸を中心とした同心円環状を呈するとともに断面形状が鋸刃状を呈するような径方向において互いに隣接する複数の突起部を有し、
前記突起部は、前記光源から出射された光が入射し、この入射した光を屈折させる入射部と、この入射部に対して前記光軸を基準とした前記径方向の外側位置に形成され、前記入射部から入射した光を前記出射領域に向けて全反射させる全反射部とを有し、
前記入射部は、前記被照射面側に位置する相対的に広い範囲の部位からなる第１の入射面と、この第１の入射面および前記全反射部の双方に連接された前記光源側に位置する相対的に狭い範囲の部位からなる第２の入射面とを有し、
前記第２の入射面は、前記突起部の先端部が切り欠かれたような前記光源側に向かうにしたがって前記光軸に対して前記径方向の外側に傾斜された傾斜面に形成され、
前記第１の入射面、前記第２の入射面および前記全反射部は、前記入射部に入射した光における前記第１の入射面に入射した第１の光と前記第２の入射面に入射した第２の光とが、少なくとも前記全反射部による全反射後に前記光軸に平行な仮想直線を挟んだ状態で交差させるとともに、それぞれ不要光とならない角度設定であり、
次の（１）および（２）の各条件式、
ＱＬ１＞ＱＬ２                （１）
｜θ１｜ｍａｘ≧｜θ２｜ｍａｘ    （２）
但し、
ＱＬ１：前記第１の光の光量
ＱＬ２：前記第２の光の光量
θ１：前記全反射後の前記第１の光が前記光軸となす鋭角
θ２：前記全反射後の前記第２の光が前記光軸となす鋭角（但し、θ１とは異符号）
｜θ１｜ｍａｘ：θ１の絶対値の最大値
｜θ２｜ｍａｘ：θ２の絶対値の最大値
を満足すること
を特徴とする光束制御部材。
【請求項２】
前記角度設定は、前記全反射後の前記第１の光と前記第２の光とを前記仮想直線を対称軸として線対称な状態で交差させるような角度設定であること
を特徴とする請求項１に記載の光束制御部材。
【請求項３】
前記入射領域は、前記複数の突起部よりも前記径方向の内側位置に、前記光源側を向いた凸面を有すること
を特徴とする請求項１または２に記載の光束制御部材。
【請求項４】
光源から出射された光を被照射面に照射する光学装置であって、
前記光源に対する前記光の出射側の位置に、請求項１〜３のいずれか１項に記載の光束制御部材が、その入射領域を前記光源側に向けた状態で配置されていること
を特徴とする光学装置。
【請求項５】
前記第１の入射面および前記第２の入射面は、前記複数の突起部のそれぞれの前記入射部のうちの、前記光源から前記光軸に対して３０〜６０°の角度で出射された光が入射する一部の前記入射部を形成しており、
その他の前記入射部は、平坦な単一の入射面のみによって形成されていること
を特徴とする請求項４に記載の光学装置。
【請求項６】
前記光源に対する前記光の出射側の位置に配置された光束制御部材は、請求項１〜３のいずれか１項に記載の光束制御部材とされ、
前記複数の突起部のうちの前記光軸寄りの所定数の前記突起部は、前記光源の発光面における前記径方向の端部よりも前記径方向の内側位置に配置されていること
を特徴とする請求項５に記載の光学装置。
【請求項７】
前記光源に対する前記光の出射側の位置に配置された光束制御部材は、請求項３に記載の光束制御部材とされ、
前記光源の発光面における前記径方向の端部は、前記凸面の外周端部よりも前記径方向の内側位置に形成されていること
を特徴とする請求項４または５に記載の光学装置。
【発明の詳細な説明】
【技術分野】
【０００１】
本発明は、光束制御部材およびこれを備えた光学装置に係り、特に、光源から出射された光を被照射面に照射するのに好適な光束制御部材およびこれを備えた光学装置に関する。
【背景技術】
【０００２】
従来から、薄型化および軽量化に適した光束制御部材として、光の入射領域が同心円環状（輪帯状）の複数の分割領域に分割された断面鋸刃状の形状（以下、フレネル形状と称する）を有する光束制御部材（いわゆるフレネルレンズ）が知られており、この種の光束制御部材は、薄型化が特に有利な用途や不要光の発生による影響を無視できる用途（例えば、ルーペ、照明系）などに用いられていた（例えば、特許文献１参照）。
【０００３】
この種の光束制御部材を照明用途の製品に組み込む場合には、フレネル形状に形成された入射領域側に、ＬＥＤ（発光ダイオード：Light Emitting Diode）等の光源（発光素子）を、この光源から出射される光の中心軸が光束制御部材の光軸と同軸となるように位置合わせを行った上で固定するようになっていた。
【０００４】
また、この種の光束制御部材におけるフレネル形状には、光源から出射された光を屈折させる屈折面のみを備えたタイプのものと、屈折面だけでなく反射面も備えたタイプのものとがあったが、後者は、光源（例えば、ＬＥＤ）から大きな広がり角で出射された光を効率良く捕捉して収束させる上で前者よりも有利であった。
【０００５】
ここで、図１４は、この種の反射面を備えた光束制御部材１の従来の設計例を示したものである。
【０００６】
図１４に示すように、光束制御部材１は、光束の制御に関与する光軸ＯＡを含む円板状の光束制御部２と、この光束制御部２を包囲する円筒状のコバ部３とによって構成されている。この光束制御部材１は、ＰＭＭＡ（ポリメタクリル酸メチル）、ＰＣ（ポリカーボネート）、ＣＯＰ（シクロオレフィン樹脂）、ＥＰ（エポキシ樹脂）、シリコーン樹脂等の透明樹脂材料を用いた射出成形法等によって、金型を用いて一体的に形成することができる。
【０００７】
図１４に示すように、光束制御部２は、光軸ＯＡ方向において互いに対向する入射領域４と出射領域５との２つの光束制御面４、５を有している。また、図１４に断面図で示す光束制御部材１の光束制御部２は、平面図において円形となるように形成される。
【０００８】
ここで、図１４および図１５に示すように、入射領域４には、光軸ＯＡ上における入射領域４に対向する位置に配置されたＬＥＤ等の光源６から出射された光Ｌが入射するようになっている。ただし、光源６は、光束制御部材１側に向けて光軸ＯＡ方向に対して所定の広がり角を持つ光Ｌを出射するようになっている。また、光源６から出射される光Ｌの中心軸は、光束制御部材１の光軸ＯＡと設計上において一致している。なお、図１４においては、光源６における光軸ＯＡ上の一つの発光点から発光された光Ｌの光路のみが示されているが、実際には、光源６全体では面発光が行われるようになっている。
【０００９】
一方、出射領域５には、入射領域４に入射した光源６の光Ｌが光束制御部２の内部を進行した後に光束制御部２の内側から入射（内部入射）するようになっており、この内部入射した光Ｌは、出射領域５から被照射面側に出射されるようになっている。
【００１０】
入射領域４について更に詳述すると、図１５に断面拡大図で示す入射領域４は、光軸ＯＡを中心とした円形の中央部８と、この中央部８を包囲する複数の突起部１１とを有している。
【００１１】
図１４および図１５に示すように、複数の突起部１１は、径方向（図１４、図１５における横方向）において互いに隣接している。
【００１２】
また、各突起部１１は、光軸ＯＡ方向から見た形状が光軸ＯＡを中心とした同心円環状を呈するとともに、図１４および図１５に示すように、光軸ＯＡ方向の断面形状（縦断面形状）が鋸刃状を呈しており、全体でフレネル形状を構成している。
【００１３】
さらに、図１５に示すように、各突起部１１は、入射面１４と、この入射面１４に対する光軸ＯＡを基準（径方向の内端）とした径方向の外側の位置に形成された全反射面１５とを有している。入射面１４は、光軸ＯＡを中心とした円筒面に形成されており、全反射面１５は、光軸ＯＡに対して所定の鋭角（例えば、２５°）の傾斜角（テーパ角）を有する光軸ＯＡを中心軸としたテーパ面に形成されている。これら入射面１４と全反射面１５とは、双方の先端部（図１５における下端部）において互いに連接されている。
【００１４】
ここで、入射面１４には、光源６から出射された光Ｌが入射するようになっており、この入射した光Ｌは、入射面１４によって全反射面１５側に屈折されるようになっている。
【００１５】
一方、全反射面１５には、入射面１４によって屈折された光源６の光Ｌが突起部１１の内部側から臨界角以上の入射角で入射するようになっており、この入射した光Ｌは、全反射面１５によって出射領域５側すなわち被照射面側に全反射されるようになっている。
【００１６】
なお、全反射面１５は光軸ＯＡを対称軸とした回転対象形状に形成されているため、図１６に示すように、全反射面１５全体からは、光軸ＯＡ方向に対して図１６における時計回りを正とした±θ〔°〕の角度（鋭角）をなすようなコーン状（円錐状）の光が出射されることになる。
【００１７】
そして、このようにして全反射面１５から出射された光は、出射領域５に到達した上で、出射領域５から被照射面に向けて出射されることになる。
【００１８】
このような光束制御部材１によれば、光軸ＯＡ方向に十分な高さ（例えば、０．２ｍｍ）に形成された尖鋭な突起部１１を有する入射面１４によって、光源６から出射された光を効率良く捕捉し、この捕捉された光の多くを全反射面１５によって被照射面に向かう光路上へと全反射させるように光束を制御することができる。
【００１９】
これにより、光束制御部材１は、例えば、図１７に示すような配光特性を得ることができる。ここで、図１７は、光束制御部材１からの出射光の強度（ｃｄ）の分布すなわち光束制御部材１からの出射光の配光を示している。また、図１７において、角度０°は光軸ＯＡ方向における前方（照射方向）に相当する。さらに、図１７には、光軸ＯＡ方向を中心（０°）とした図１４における左右への広がりを有する分布が示されている。この配光特性においては、出射光の強度が角度０°付近において最大値（ピーク強度）を示し、また、角度０°における出射光の強度が最大値に近い値を示し、さらに、最大値の半値における分布の左右への広がり幅（角度）である半値幅が３０°（±１５°）程度を示している。
【先行技術文献】
【特許文献】
【００２０】
【特許文献１】特開２００７−１３４３１６号公報
【発明の概要】
【発明が解決しようとする課題】
【００２１】
しかしながら、図１７に示した配光特性を理想的な（設計上の）配光特性として、これを狙って実際に金型を用いて光束制御部材１を成形した場合には、金型における突起部１１の先端部の転写面に、樹脂材料の充填不足が生じる場合があった。
【００２２】
そして、このような充填不足が生じた場合に実際に得られる光束制御部材１’は、例えば、図１８に示すように、突起部１１（入射面１４）の高さが設計上の高さに対して例えば８５％に低減されるとともに、突起部１１の先端部に本来形成されるべきエッジが形成されておらず、その代わりにアール形状部や曲面部等の成形不良部が形成されたものとなっていた。
【００２３】
このような光束制御部材１’の配光特性は、図１９に示すように、理想的な配光特性（図１７）よりも劣化したものとなっていた。具体的には、前述のように、理想的な配光特性の場合における出射光の強度の最大値に対して、充填不足が生じた場合の出射光の強度の最大値は２０％以上低減されていた。また、理想的な配光特性の場合には、角度０°において出射光の強度が最大値に近い値となるのに対して、充填不足が生じた場合には、図１９に示すように、角度０°において出射光の強度が最大値を大きく下回っていた。
【００２４】
ここで、図１８の光束制御部材１’においては、突起部１１の先端部の成形不良部がレンズ面のように作用することにより、成形不良部への入射光がその曲率中心付近に集光されることになる。そして、この集光された光は、全反射面１５に入射せずに、全反射面１５によって全反射される正規の光路とは異なる方向へと進行して、被照射面（有効な被照射範囲）に照射されない不要光（迷光）となる。この結果、得られる配光特性が理想的なものよりも劣化することになり、このような光束制御部材１’では、出射光による被照射範囲において十分な照度が得られない。
【００２５】
そして、このような配光特性の劣化は、所望の光学性能を得る観点ばかりでなく、光源の光を効率的に利用する観点からも大きな問題となっていた。
【００２６】
ここで、かかる問題は、元を正せば突起部１１の尖鋭過ぎる形状が成形上金型からの転写が困難であることによるので、初めから充填不足が生じないように金型形状の再現性が良好な突起部１１の形状を設計すれば容易に解決することが可能とも思われる。
【００２７】
そこで、このような観点から、例えば、図２０に示すような樹脂材料の充填性が改善された光束制御部材１”を考え出すことは難しくない。この光束制御部材１”は、図１４〜図１６に示した光束制御部材１の突起部１１の先端部を、光軸ＯＡに垂直な切断線で単純に切り落としたものである。このような光束制御部材１”は、突起部１１の先端部が平坦になっているため、この先端部の転写面への樹脂材料の充填を適切に行うことができるものとなっている。
【００２８】
しかるに、このような光束制御部材１”は、樹脂材料の充填不足による配光特性の設計上からの劣化を抑制する点では前述の問題に対応することができるものの、突起部１１の先端部（平坦部）に入射した光が、全反射面１５に入射せずに、全反射面１５によって全反射される正規の光路とは異なる方向へと進行して被照射面に照射されない不要光となるため、図１８の光束制御部材１’と同様に、得られる配光特性（図２１参照）が狙いと異なるものになる。
【００２９】
したがって、図２０に示したように単純に突起部１１の尖鋭度合いを緩和しただけでは、樹脂材料の充填不足の問題を解決できたとしても、狙いの配光特性および光利用効率を得ることができないといった問題は依然として残ってしまう。
【００３０】
そこで、本発明は、このような問題点に鑑みなされたものであり、製造上無理のない設計によって狙い通りの良好な配光特性を簡便かつ確実に得ることができるとともに、光利用効率を向上させることができる光束制御部材およびこれを備えた光学装置を提供することを目的とするものである。
【課題を解決するための手段】
【００３１】
前述した目的を達成するため、本発明の請求項１に係る光束制御部材の特徴は、光源から出射された光が入射する入射領域と、この入射領域に光軸方向において対向し、前記入射領域に入射した光を被照射面側へ向けて出射させる出射領域とを有する光束制御部材であって、前記入射領域は、前記光軸方向から見た形状が光軸を中心とした同心円環状を呈するとともに断面形状が鋸刃状を呈するような径方向において互いに隣接する複数の突起部を有し、前記突起部は、前記光源から出射された光が入射し、この入射した光を屈折させる入射部と、この入射部に対して前記光軸を基準とした前記径方向の外側位置に形成され、前記入射部から入射した光を前記出射領域に向けて全反射させる全反射部とを有し、前記入射部は、前記被照射面側に位置する相対的に広い範囲の部位からなる第１の入射面と、この第１の入射面および前記全反射部の双方に連接された前記光源側に位置する相対的に狭い範囲の部位からなる第２の入射面とを有し、前記第２の入射面は、前記突起部の先端部が切り欠かれたような前記光源側に向かうにしたがって前記光軸に対して前記径方向の外側に傾斜された傾斜面に形成され、前記第１の入射面、前記第２の入射面および前記全反射部は、前記入射部に入射した光における前記第１の入射面に入射した第１の光と前記第２の入射面に入射した第２の光とが、少なくとも前記全反射部による全反射後に前記光軸に平行な仮想直線を挟んだ状態で交差させるとともに、それぞれ不要光とならない角度設定であり、次の（１）および（２）の各条件式、（１）ＱＬ１＞ＱＬ２、（２）｜θ１｜ｍａｘ≧｜θ２｜ｍａｘ、但し、ＱＬ１：前記第１の光の光量、ＱＬ２：前記第２の光の光量、θ１：前記全反射後の前記第１の光が前記光軸となす鋭角、θ２：前記全反射後の前記第２の光が前記光軸となす鋭角（但し、θ１とは異符号）、｜θ１｜ｍａｘ：θ１の絶対値の最大値、｜θ２｜ｍａｘ：θ２の絶対値の最大値、を満足する点にある。そして、この請求項１に係る発明によれば、第１の入射面と全反射部との間に第２の入射面を挟むことによって、突起部の尖鋭度合いが緩和された製造上無理のない設計を行うことができ、また、第２の入射面を傾斜面に形成することによって、第２の入射面に入射した光を全反射部へと入射させて、この入射させた光を全反射部によって被照射面に向かう光路上へと全反射させることができるので、狙い通りの良好な配光特性を簡便かつ確実に得ることができるとともに、光源から出射された光を十分に効率的に利用することができ、あわせて、製造性および歩留まりを向上させることができる。
また、第１の入射面、第２の入射面および全反射部が、全反射後の第１の光と第２の光とが光軸と平行な仮想直線を挟んだ状態で交差する角度設定とされていることにより、全反射部で全反射された第２の光の光軸を中心とした広がりを抑えることができるとともに、全反射部で全反射された第２の光を全反射部で全反射された第１の光の被照射範囲と近い領域に照射することができ、製造性および歩留まりを向上させることができるとともに光源からの光の利用効率を更に向上することができる。
更に（１）および（２）の各条件式を満足することによって、第２の光が不要光になることを確実に防止することができるので、配光特性および光利用効率をさらに向上させることができる。
【００３５】
また、請求項２に係る光束制御部材の特徴は、請求項１において、更に、前記角度設定は、前記全反射後の前記第１の光と前記第２の光とを前記仮想直線を対称軸として線対称な状態で交差させるような角度設定である点にある。そして、この請求項２に係る発明によれば、全反射面上の任意の位置で全反射された第２の光を、この位置から光軸回りに１８０°ずれた全反射面上の他の位置で全反射された第１の光と平行な状態に制御することができるので、更に良好な配光特性を得ることができる。
【００３６】
さらに、請求項３に係る光束制御部材の特徴は、請求項１または２において、前記入射領域は、前記複数の突起部よりも前記径方向の内側位置に、前記光源側を向いた凸面を有する点にある。そして、この請求項３に係る発明によれば、光源から出射されて凸面に入射した光を、凸面によって有効に収束させることができるので、プロジェクタ等の光源として好適な平行光に近い光束を出射領域から出射させることができる。
【００３７】
さらにまた、請求項４に係る光学装置の特徴は、光源から出射された光を被照射面に照射する光学装置であって、前記光源に対する前記光の出射側の位置に、請求項１〜３のいずれか１項に記載の光束制御部材が、その入射領域を前記光源側に向けた状態で配置されている点にある。そして、この請求項４に係る発明によれば、配光特性および光利用効率を向上させることができ、あわせて、製造性および歩留まりを向上させることができる。
【００３８】
また、請求項５に係る光学装置の特徴は、請求項４において、更に、前記第１の入射面および前記第２の入射面は、前記複数の突起部のそれぞれの前記入射部のうちの、前記光源から前記光軸に対して３０〜６０°の角度で出射された光が入射する一部の前記入射部を形成しており、その他の前記入射部は、平坦な単一の入射面のみによって形成されている点にある。そして、この請求項５に係る発明によれば、ＬＥＤからの出射光量が多い角度に対応する位置に第１の入射面および第２の入射面を有する突起部を配置することにより、光源としてＬＥＤを用いる場合における配光特性および光利用効率を確実に向上させることができるとともに、他の突起部の形状の簡素化を図ることが可能となる。
【００３９】
さらに、請求項６に係る光学装置の特徴は、請求項５において、更に、前記光源に対する前記光の出射側の位置に配置された光束制御部材は、請求項１〜３のいずれか１項に記載の光束制御部材とされ、前記複数の突起部のうちの前記光軸寄りの所定数の前記突起部は、前記光源の発光面における前記径方向の端部よりも前記径方向の内側位置に配置されている点にある。そして、この請求項６に係る発明によれば、光源が光束制御部材の直近に配置された薄型の光学装置において、良好な配光特性および光利用効率を確実に得ることができる。
【００４０】
さらにまた、請求項７に係る光学装置の特徴は、請求項４または５において、更に、前記光源に対する前記光の出射側の位置に配置された光束制御部材は、請求項３に記載の光束制御部材とされ、前記光源の発光面における前記径方向の端部は、前記凸面の外周端部よりも前記径方向の内側位置に形成されている点にある。そして、この請求項７に係る発明によれば、光源から出射された光を凸面に効率良く入射させることができるので、凸面を有効に機能させて、プロジェクタ等に好適な所望の光束を確実に得ることができる。
【発明の効果】
【００４１】
本発明によれば、製造上無理のない設計によって狙い通りの良好な配光特性を簡便かつ確実に得ることができるとともに、光利用効率を向上させることができる。
【図面の簡単な説明】
【００４２】
【図１】本発明に係る光束制御部材の第１実施形態を示す正面図
【図２】図１の平面図
【図３】図１の下面図
【図４】（ａ）は図２のＡ−Ａ断面図、（ｂ）は（ａ）の部分拡大図
【図５】本発明に係る光束制御部材の第１実施形態を示す要部拡大図
【図６】本発明に係る光束制御部材の第１実施形態において、第１の光と第２の光との交差状態を説明するための説明図
【図７】本発明に係る光束制御部材の第１実施形態において、条件式を説明するための説明図
【図８】本発明に係る光束制御部材の第１実施形態において、配光特性を示すグラフ
【図９】本発明に係る光束制御部材の第２実施形態を示す構成図
【図１０】本発明に係る光束制御部材の第２実施形態において、配光特性を示すグラフ
【図１１】第２実施形態に対応する理想的な光束制御部材の設計例を示す構成図
【図１２】本発明に係る光束制御部材の第２実施形態において、比較例となる光束制御部材を示す構成図
【図１３】十分に小さい光源を用いた場合における図１２の光束制御部材の配光特性と第２実施形態の光束制御部材の配光特性とを比較した比較図
【図１４】理想的な光束制御部材の設計例を示す構成図
【図１５】理想的な光束制御部材の要部拡大図
【図１６】理想的な光束制御部材の全反射面における光の反射方向を説明するための説明図
【図１７】理想的な光束制御部材の配光特性を示すグラフ
【図１８】樹脂材料の充填不足による成形不良が生じた光束制御部材を示す要部拡大図
【図１９】図１８の光束制御部材の配光特性を示すグラフ
【図２０】理想的な形状から設計を変更した光束制御部材を示す要部拡大図
【図２１】図２０の光束制御部材の配光特性を示すグラフ
【発明を実施するための形態】
【００４３】
（第１実施形態）
以下、本発明の第１実施形態について図１〜図８を参照して説明する。
【００４４】
なお、図１４〜図２１において説明した従来の光束制御部材１、１’、１”と基本的構成が同一もしくはこれに類する箇所については、同一の符号を用いて説明する。
【００４５】
図１は、本実施形態における光束制御部材２１を示す正面図である。また、図２は、図１の平面図である。さらに、図３は、図１の下面図である。さらにまた、図４（ａ）は、図２のＡ−Ａ断面図であり、図４（ｂ）は、図４（ａ）の部分拡大図である。
【００４６】
図１〜４に示すように、本実施形態における光束制御部材２１は、平面図上において円形状の光束制御部２と、この光束制御部２を包囲する円筒状のコバ部３とによって構成され、また、光束制御部２が、フレネル形状を有する入射領域４と、これに光軸ＯＡ方向において対向する出射領域５とを有する点で、従来の光束制御部材１、１’、１”と同様である。
【００４７】
また、このような本実施形態における光束制御部材２１は、従来と同様に、入射領域４に光軸ＯＡ方向において対向する位置に、ＬＥＤ等の所定の広がり角を持つ光源６（面光源）を配置した状態で、光源６からの出射光束を制御して被照射面上に照射するようになっている。
【００４８】
ただし、本実施形態における光束制御部材２１は、フレネル形状を形成する入射領域４の複数の突起部１１が、従来にない特徴的な構成を備えている。
【００４９】
すなわち、図５に示すように、本実施形態においては、突起部１１が、入射部２４と、この入射部２４に対する径方向の外側位置に配置された反射部としての全反射面１５とを有しており、入射部２４は、第１の入射面２５と第２の入射面２６との２つの入射面２５、２６によって構成されている。なお、全反射面１５は、従来と同一の符号が付されているが、後述の角度設定によって、従来と同じ傾斜角（例えば、２５°）に形成されていてもよし、または、従来と異なる傾斜角に形成されていてもよい。また、突起部１１の高さは、図１５に示した従来の突起部１１の高さ（例えば、０．２ｍｍ）よりも低い高さ（例えば、０．１８ｍｍ）に形成することができる。
【００５０】
図５に示すように、第１の入射面２５は、入射部２４における被照射面側（図５における上側）に位置する相対的に広い範囲の部位とされており、この第１の入射面２５は、光軸ＯＡを中心とした円筒面に形成されている。第１の入射面２５は円筒面に限定されず、第１の入射面２５における光源６からの光の入射角と屈折角を考慮して、第１の入射面２５を経由して全反射面１５で反射された光が有効な被照射範囲を照射するように調整したテーパー面に形成されてもよい。
【００５１】
一方、図５に示すように、第２の入射面２６は、入射部２４における光源６側（図５における下側）に位置する相対的に狭い範囲の部位とされており、この第２の入射面２６は、第１の入射面２５および全反射面１５の双方の先端部（図５における下端部）に連接されている。また、第２の入射面２６は、突起部１１の先端部が切り欠かれたような光源６側に向かうにしたがって光軸ＯＡに対して径方向の外側に所定の鋭角（例えば、１７°）の傾斜角を有するように傾斜された傾斜面（テーパ面）に形成されている。
【００５２】
このように第２の入射面２６を形成することにより、突起部１１の先端部の頂角は４２°（全反射面１５の傾斜角２５°＋第２の入射面２６の傾斜角１７°）となり、第２の入射面２６が形成されない場合よりも大きな頂角の突起部１１とすることができる。
【００５３】
すなわち、突起部１１の高さも低く抑えることに加え、突起部１１の頂角を大きくすることができるため、成形時に金型形状を転写し易い製品形状とすることができる。
【００５４】
ここで、図５に示すように、第１の入射面２５および第２の入射面２６には、光源６から出射された光Ｌのうちの互いに隣接する光が、互いに異なる入射角でそれぞれ入射するようになっている。そして、第１の入射面２５に入射した光（以下、第１の光と称する）および第２の入射面２６に入射した光（以下、第２の光と称する）は、各入射面２５、２６においてスネルの法則にしたがって屈折された上で、突起部１１の内部の光路を通って全反射面１５に向かうようになっている。その後、第１の光および第２の光は、全反射面１５に互いに異なる入射角（但し、臨界角以上の入射角）で入射した上で、全反射面１５によって出射領域５に向けて互いに異なる反射角で全反射されるようになっている。
【００５５】
また、本実施形態において、第１の入射面２５、第２の入射面２６および全反射面１５は、図６に示すように、全反射面１５による全反射後の第１の光Ｌ１と第２の光Ｌ２とが交差するような光軸ＯＡに対する角度設定がなされている。より具体的には、この角度設定は、全反射面１５による全反射後の第１の光Ｌ１と第２の光Ｌ２とを光軸ＯＡに平行な仮想直線ＶＬ（図６参照）を挟んだ状態で交差させるような角度設定とされている。より好ましくは、角度設定は、第１の光と第２の光とを全反射面１５による全反射後に仮想直線ＶＬを対称軸として略線対称な状態で交差させるような角度設定とする。ただし、以上のような角度設定は、全反射面１５による全反射前の第１の光Ｌ１と第２の光Ｌ２とが交差することを除外するものではない。
【００５６】
さらに、本実施形態において、第１の入射面２５、第２の入射面２６および全反射部１５は、次の（１）および（２）の各条件式を満足するようになっている。
ＱＬ１＞ＱＬ２                （１）
｜θ１｜ｍａｘ≧｜θ２｜ｍａｘ    （２）
【００５７】
但し、（１）式におけるＱＬ１は、第１の光Ｌ１の光量であり、ＱＬ２は、第２の光Ｌ２の光量である。また、（１）式における｜θ１｜ｍａｘは、図７に示すように、全反射面１５による全反射後の第１の光Ｌ１が光軸ＯＡとなす鋭角θ１の絶対値の最大値である。さらに、（１）式における｜θ２｜ｍａｘは、図７に示すように、全反射面１５による全反射後の第２の光Ｌ２が光軸ＯＡとなす鋭角θ２の絶対値の最大値である。なお、θ１は、図７における時計回りを正とした場合に符号が負となり、逆に、θ２は、符号が正となる。
【００５８】
ここで、（１）式を満足しない場合には、第２の入射面２６が光軸方向に大きくなり過ぎることによって、第２の入射面２６における被照射面側の端部側に入射した第２の光が、全反射面１５による全反射後に光軸ＯＡから離れる方向に大きく発散することになる。また、（２）式を満足しない場合にも、第２の入射面２６に入射した第２の光が、全反射面１５による全反射後に光軸ＯＡから離れる方向に大きく発散することになる。
【００５９】
したがって（１）および（２）の条件式を満足することによって、第２の入射面２６に入射した第２の光Ｌ２が不要光とならずに被照射面に向かうことができる。
【００６０】
以上のように構成された本実施形態によれば、第１の入射面２５と全反射面１５との間に第２の入射面２６を挟むことによって、突起部１１の尖鋭度合いが緩和された製造上無理のない設計を行うことができ、また、第２の入射面２６を傾斜面に形成することによって、第２の入射面２６に入射した光を全反射面１５へと入射させて、この入射させた光を全反射面１５によって被照射面に向かう光路上へと全反射させることができる。また、全反射面１５上の任意の位置で全反射された第２の光Ｌ２を、この位置から光軸ＯＡ回りに１８０°ずれた全反射面１５上の他の位置で全反射された第１の光Ｌ１と平行またはこれに近い状態に制御することができるので、第２の光Ｌ２の被照射範囲を第１の光Ｌ１による被照射範囲に近似させることができ、あたかも図１４および図１５に示した第２の入射面２６が形成されない従来の光束制御部材１によって出射されたような光またはこれと配光が近い光を被照射面上に照射することができる。さらに、（１）および（２）の条件式を満足することによって、第２の光Ｌ２が不要光になることを確実に防止することができる。
【００６１】
これにより、狙い通り（設計通り）の良好な配光特性を簡便かつ確実に得ることができるとともに、光源６から出射された光を十分に効率的に利用することができ、あわせて、製造性および歩留まりを向上させることができる。
【００６２】
具体的には、本実施形態によれば、従来の光束制御部材１に対して光束制御部材２１の出射光の強度の最大値の低下を抑え、図１７に示した狙いの配光特性に近い良好な配光特性を得ることができる（図８参照）。
【００６３】
上記構成に加えて、更に、第１の入射面２５および第２の入射面２６を、複数の突起部１１に形成された各入射部２４のうちの、光源６から光軸ＯＡに対して３０〜６０°の角度で出射された光が入射する一部の入射部２４のみに形成し、その他の入射部１１には、図１４と同様な平坦な単一の入射面１４のみを形成してもよい。このように構成すれば、一般的なＬＥＤからの出射光はランバート分布の配光特性を有するため、ＬＥＤからの出射光量が多い角度に対応する位置に第１の入射面２５および第２の入射面２６を有する突起部１１を配置することにより、配光特性および光利用効率を確実に向上させることができるとともに、他の突起部の形状の簡素化を図ることが可能となる。
【００６４】
上記構成に加えて、更に、複数の突起部１１のうちの光軸ＯＡ寄りの所定数の突起部１１は、光源６の発光面における径方向の端部よりも径方向の内側位置に配置してもよい。このように構成すれば、光源６が光束制御部材２１の直近に配置された薄型の光学装置において、良好な配光特性および光利用効率を確実に得ることができる。
【００６５】
（第２実施形態）
次に、本発明の第２実施形態について、第１実施形態との差異を中心に、図９〜図１３を参照して説明する。なお、第１実施形態と基本的な構成が同一もしくはこれに類する箇所については、同一の符号を用いて説明する。
【００６６】
本実施形態においては、第１実施形態における狙いの配光特性（図１７参照）よりもさらに光軸ＯＡ側（０°側）に光束が集中するような配光特性、すなわち、第１実施形態における狙いの配光特性よりも前述した半値幅が狭く、かつピーク強度が大きい配光特性を狙いとしている。
【００６７】
そして、このような本実施形態に特有の配光特性を実現すべく、本実施形態の構成は、第１実施形態の構成に対して以下に示すような相違点を有している。
【００６８】
すなわち、図９に示すように、本実施形態の第１実施形態との相違点は、入射領域４における各突起部１１に対する径方向の内側の部位の形状（すなわち、中央部８の形状）および中央部８に対する光源６の発光面の相対的な大きさにある。
【００６９】
具体的には、図９に示すように、本実施形態における光束制御部材３１は、中央部８が、第１実施形態のような光軸ＯＡに直交する平面ではなく、光源６側に向かって凸の凸面（曲面）に形成されている。以下、本実施形態における中央部８を、凸面８と称することとする。この凸面８は、例えば、光軸ＯＡと同心の球面レンズ面であってもよいし、または、光軸ＯＡと同心の非球面レンズ面であってもよい。
【００７０】
また、本実施形態においては、光源６の発光面における径方向の端部が、凸面８の外周端部よりも径方向の内側位置に形成されている。このことは、図９に示すように、光束制御部材３１に対して光源６が十分に小さいことを示している。
【００７１】
その他の構成は、第１実施形態と基本的に同様であるので、詳細は第１実施形態に説明を譲る。
【００７２】
このような本実施形態の構成によれば、図１０に示すように、本実施形態において狙いとする配光特性を確実に得ることができる。同図の配光特性は、プロジェクタ等の平行光に近い光束を出射させることが求められる用途において好ましい配光特性である。なお、本実施形態における光源６と従来の設計例（図１４）における光源６とは同一の配光特性であるが、強度は異なるため、図１０の配光特性のグラフにおける強度〔ｃｄ〕と、図１７の配光特性のグラフにおける強度とを比較することは無意味である。
【００７３】
ところで、このような図１０の配光特性は、図１１に示すような突起部１１が尖鋭とされた光束制御部材３１’と、この光束制御部材３１’に対して十分に小さい光源６とを用いることによっても実現できると思われる。しかるに、このような突起部１１が尖鋭とされた光束制御部材３１’は、第１実施形態において理想とした光束制御部材１と同様の理由により、あくまでも設計上において実現できるものであり、実際に金型を用いた樹脂成形によって製造することは極めて困難である。したがって、このような光束制御部材３１’と光源６とによって図１０の配光特性を得るには高度な成形技術を要する。
【００７４】
また、図１２に示す光束制御部材３１”と、本実施形態における光束制御部材３１とについて、これら光束制御部材３１”、３１に対して十分に小さい光源６を用いた場合における配光特性を比較すると、図１３（ａ）および（ｂ）に示すものとなる。なお、同図における横軸は、光軸ＯＡ方向を中心（０°）とした左右（±）への広がり角度〔°〕を示しており、また、同図における縦軸は、所定の光度を基準（１００％）とした相対光度〔％〕を示している。また、図１３（ｂ）は、図１３（ａ）のうちの狭角側（光軸ＯＡ側）の配光特性を抜粋して詳細に表示したものである。ここで、図９に示した凸面８を備えた光束制御部材３１の配光特性は、図１３（ａ）および（ｂ）において黒丸（●）のプロットによって示されている。この光束制御部材３１のピーク強度は、図１３（ａ）および（ｂ）に三角（△）のプロットで示される中央部８が平面で形成された光束制御部材３１”のピーク強度に対して約４％高くなる。このように、中央部８を凸面で形成することにより、狭い配光特性を維持したまま、ピーク強度を向上させることができる。
【００７５】
また、本実施形態では、中央部８の平面形状が半径０．５５ｍｍの円形である光束制御部材３１”に、１.０ｍｍ角の光源６を組み合わせた例について示したが、光源６のサイズを小さくすることにより、ピーク強度を更に向上させることができる。例えば、０．３ｍｍ角の光源６を用いる場合には、中央部８が平面である場合と比較して、中央部８が凸面である場合には、狭い配光特性を維持した状態で、ピーク強度を約１０％向上させることができる。
【００７６】
したがって、本実施形態においても、第１実施形態と同様に、突起部１１の各々に２つの入射面２５、２６を形成することにより、狙いとする狭い配光特性を製造上無理なく実現することができ、更に、中央部８を凸面とすることによって、ピーク強度を向上させることができる。
【００７７】
なお、本発明は、前述した実施の形態に限定されるものではなく、本発明の特徴を損なわない限度において種々変更することができる。
【００７８】
例えば、本実施形態における光束制御部材２１は、スポット系照明、例えば、ショウウインドウの照明や携帯電話に搭載された撮像カメラ用の照明（フラッシュ）等に有効に適用することができる。
【符号の説明】
【００７９】
４  入射領域
５  出射領域
１１  突起部
１５  全反射面
２５  第１の入射面
２６  第２の入射面
【図１】
0005881294.tif 000002
【図２】
0005881294.tif 000003
【図４】
0005881294.tif 000004
【図５】
0005881294.tif 000005
【図６】
0005881294.tif 000006
【図７】
0005881294.tif 000007
【図９】
0005881294.tif 000008
【図１１】
0005881294.tif 000009
【図１２】
0005881294.tif 000010
【図１３】
0005881294.tif 000011
【図３】
0005881294.tif 000012
【図８】
0005881294.tif 000013
【図１０】
0005881294.tif 000014
【図１４】
0005881294.tif 000015
【図１５】
0005881294.tif 000016
【図１６】
0005881294.tif 000017
【図１７】
0005881294.tif 000018
【図１８】
0005881294.tif 000019
【図１９】
0005881294.tif 000020
【図２０】
0005881294.tif 000021
【図２１】
0005881294.tif 000022